(57)【要約】【課題】  同一の光源で、液晶表示パネルと指針とを良好に照明することが可能な指針式計器装置を提供する。【解決手段】  液晶表示パネル１と、液晶表示パネル１を照明する光源７と、光源７から発せられる光を液晶表示パネル１に導く導光部材８と、少なくとも液晶表示パネル１と導光部材８を収納するとともに液晶表示パネル１が露出する第１の窓部９を備えた枠体１０とを有する表示器２と、液晶表示パネル１の周囲に位置する指標部３を備えた文字板４と、液晶表示パネル１の背後に配設され指標部３を指示する指針５が装着された駆動装置６とを備えた指針式計器装置Ｍにおいて、表示器２は、導光部材８によって導かれた光源７の光を指針５へ出射する第２の窓部１と、第２の窓部１１に光源７からの光を集光するとともに指針７側へ出射する集光出射部１２とを設けたものである。【選択図】  図２
2009162496.tif 000002
【特許請求の範囲】
【請求項１】
液晶表示パネルと、前記液晶表示パネルを照明する光源と、前記光源から発せられる光を前記液晶表示パネルに導く導光部材と、少なくとも前記液晶表示パネルと前記導光部材を収納するとともに前記液晶表示パネルが露出する第１の窓部を備えた枠体とを有する表示器と、前記液晶表示パネルの周囲に位置する指標部を備えた文字板と、前記液晶表示パネルの背後に配設され前記指標部を指示する指針が装着された駆動装置と、を備えた指針式計器装置において、前記表示器は、前記導光部材によって導かれた前記光源の光を前記指針へ出射する第２の窓部と、前記第２の窓部に前記光源からの光を集光するとともに前記指針へ出射する集光出射部と、を設けたことを特徴とする指針式計器装置。
【請求項２】
前記枠体を支持するフレーム部材を設け、このフレーム部材に前記集光出射部を設けたことを特徴とする請求項１に記載の指針式計器装置。
【請求項３】
前記フレーム部材は透明部材からなることを特徴とする請求項２に記載の指針式計器装置。
【請求項４】
光の波長を変換する変光部を前記第２の窓部に設けたことを特徴とする請求項１に記載の指針式計器装置。
【請求項５】
前記変光部は、カラーフィルムもしくは着色導光体からなることを特徴とする請求項４に記載の指針式計器装置。
【請求項６】
前記変光部は、単色もしくは複数の色からなることを特徴とする請求項４に記載の指針式計器装置。
【発明の詳細な説明】
【技術分野】
【０００１】
本発明は、指針式計器装置に関するもので、特に、表示器と、前記表示器の周囲に位置する指標部を備えた文字板と、前記指標部を指示する指針とを備えた指針式計器装置に関するものである。
【背景技術】
【０００２】
従来の指針式計器装置は、液晶表示パネルを備えた表示器と、前記表示器の周囲に位置する指標部を備えた文字板と、前記指標部を指示する指針と、前記表示器の背面側に配置され前記指針を回動させる駆動装置を備え、部品点数の削減とコスト削減と図るために、前記液晶表示パネルと前記指針とを同一の光源にて照明していた（例えば、特許文献１参照）。
【特許文献１】特開２００６―１１８８９２号公報（特に、図４、図５）
【発明の開示】
【発明が解決しようとする課題】
【０００３】
しなしながら、このような指針式計器装置では、前記液晶表示パネルと前記指針とでは、必要な照明輝度が異なる場合があり、同一の光源で、前記液晶表示パネルと前記指針との良好な照明を両立することが難しいという問題点があった。
【０００４】
この問題点を解決するために、高い輝度が必要な部材に合わせて光源を選択し、低い輝度が必要な部材には、前記光源からの光の輝度を低下させる光学部材を設けていた。しかし、高い輝度の光を発する光源は、高価であり、また、光源の輝度を低下させるために光学部材などを設けることは、前記光源の光を有効に利用していないという問題点があった。
【０００５】
そこで、本願発明は、同一の光源で、液晶表示パネルと指針とを良好に照明することが可能な指針式計器装置を提供することを目的とする。
【課題を解決するための手段】
【０００６】
本発明は、液晶表示パネルと、前記液晶表示パネルを照明する光源と、前記光源から発せられる光を前記液晶表示パネルに導く導光部材と、少なくとも前記液晶表示パネルと前記導光部材を収納するとともに前記液晶表示パネルが露出する第１の窓部を備えた枠体とを有する表示器と、前記液晶表示パネルの周囲に位置する指標部を備えた文字板と、前記液晶表示パネルの背後に配設され前記指標部を指示する指針が装着された駆動装置と、を備えた指針式計器装置において、前記表示器は、前記導光部材によって導かれた前記光源の光を前記指針へ出射する第２の窓部と、前記第２の窓部に前記光源からの光を集光するとともに前記指針へ出射する集光出射部と、を設けたものである。
【０００７】
また、本発明は、前記枠体を支持するフレーム部材を設け、このフレーム部材に前記集光出射部を設けたものである。
【０００８】
また、本発明は、前記フレーム部材は透明部材からなるものである。
【０００９】
また、本発明は、光の波長を変換する変光部を前記第２の窓部に設けたものである。
【００１０】
また、本発明は、前記変光部は、カラーフィルムもしくは着色導光体からなるものである。
【００１１】
また、本発明は、前記変光部は、単色もしくは複数の色からなるものである。
【発明の効果】
【００１２】
本発明によれば、所期の目的を達成することができ、同一の光源で、液晶表示パネルと指針とを良好に照明することが可能な指針式計器装置を提供できる。
【発明を実施するための最良の形態】
【００１３】
以下、本発明の実施形態を、図面を用いて説明する。
【００１４】
本実施形態の指針式計器装置Ｍは、車両の速度を指針５にて表示し、前記車両などに関する情報を表示器２にて表示するものであり、主に、表示器２、文字板４、指針５、駆動装置６、フレーム部材１３及びケース１５で構成されている。
【００１５】
表示器２は、液晶表示パネル１と、光源７と、導光部材８及び枠体１０で構成されている。
【００１６】
液晶表示パネル１は、２枚のガラスの間に液晶を封入したものである。この液晶表示パネル１の外形は、四角形である。この液晶表示パネル１は、車両に関する情報、例えば、走行距離、燃料消費量などを表示するものである。
【００１７】
光源７は、発光ダイオードである。この光源７は、液晶表示パネル１と指針５とを照明する光を発するものである。複数の光源７が、可撓性を有する回路基板７ａに実装されており、この回路基板７ａを介して図示しない制御回路と電気的に接続している。
【００１８】
導光部材８は、透明な合成樹脂からなり、平板のほぼ円形状で、一部に直線部分である弦を備えた形状である。導光部材８の弦の部分８ａには、複数の光源７が配置されている。この導光部材８は、光源７から発せられる光を液晶表示パネル１と指針５とに導くものである。
【００１９】
枠体１０は、遮光性を有する合成樹脂からなり、液晶表示パネル１と光源７と導光部材８とを収納するものである。また、枠体１０を正面から見た場合、その形状は、円形をしており、表示器２の外観を形成するものである。枠体１０は、液晶表示パネル１の表示面を露出させる第１の窓部９を備えている。
【００２０】
また、枠体１０には、第２の窓部１１が設けられている。この第２の窓部１１は、第１の窓部１０を設けた正面側とは、反対の裏面側に設けられている。第２の窓部１１は、枠体１０の外周に沿って円弧状に形成された貫通した溝からなり、導光部材８によって導かれた光源７の光を指針５へ出射するものである。
【００２１】
また、枠体１０には、駆動装置６側に伸びる脚部１０ａを備えている。この脚部１０ａを、ケース１５に固定することで、枠体１０、すなわち表示器２がケース１５に固定される。
【００２２】
なお、本実施形態では、光源７を枠体１０に収納していたが、本実施形態に限定されるものではなく、ケース１５や図示しない回路基板などに設けてもよく、枠体１０内に収納する必要はない。
【００２３】
文字板４は、合成樹脂からなり、中央にすり鉢状に凹んだ傾斜面４ａを備えている。文字板４は、目盛や文字などの指標部３を備えている。本実施形態は、車両の速度計であるので、指標部３は、速度を表すものである。指標部３は、表示器２（液晶表示パネル１）の周囲を囲むように設けられている。指標部３は、光を透過するもので、文字板４の背後に設けた光源１６によって照明されるものである。
【００２４】
指針５は、駆動装置６に装着されており、文字板４の指標部３を指示することで、計測値、本実施形態では、車両の速度を指示するものである。本実施形態では、指針５は、主に、指示部５ａ、ボス部５ｂ及び連結部５ｃで構成されている。
【００２５】
指示部５ａは、指標部３を指示するものである。指示部５ａは、透明な合成樹脂からなる導光部５ａ１と、遮光性を有する合成樹脂からなるカバー５ａ２とで、構成されている。導光部５ａ１は、表示器２の第２の窓部１１から出た光を受光部５ａ３で受けとり、導光部５ａ１内を反射させて、発光部５ａ４から光を射出する。
【００２６】
導光部５ａ１の受光部５ａ３と発光部５ａ４との間は、表示器１の背後に設けた第２の窓部１１からの光を、効率よく受光部５ａ３から発光部５ａ４へと導くために、厚み（駆動装置６に設けた後述する回転軸の軸方向）がある。このため、指針式計器装置Ｍを見る角度によっては、導光部５ａ１の側面が見えてしまい見栄えが悪く、また、視認性にも悪影響を与えるために、導光部５ａ１の側面を覆い、かつ、発光部５ａ４が露出するカバー５ａ２を設けてある。
【００２７】
カバー５ａ２は、導光部５ａ１の受光部５ａ３と発光部５ａ４とを除いて、導光部５ａ１を覆うものである。図４で示すように、カバー５ａ２は、発光部５ａ４が露出する窓部５ａ５を備えている。
【００２８】
ボス部５ｂは、合成樹脂からなり、駆動装置６の後述する回転軸に固定されている。
【００２９】
連結部５ｃは、金属からなり、指示部５ａとボス部５ｂとをつなぐものである。
【００３０】
駆動装置６は、ステッピングモータなどの電動機であり、回転軸６ａを備えている。この回転軸６ａを回動し、指針５を駆動する。
【００３１】
フレーム部材１３は、透明な合成樹脂からなる平板であり、枠体１０を囲むように設けられている。そして、フレーム部材１３は、中央に表示器２を収納する貫通孔１３ａを備えている。また、この貫通孔１３ａ内に突出した鍔部１３ｂを備えている。この貫通孔１３ａと鍔部１３ｂとによって、フレーム部材１３は、表示器２を支持している。また、鍔部１３ｂには、表示器２に設けた第２の窓部１１に対応する位置に、集光出射部１２が設けられている。この集光出射部１２も、第２の窓部１１と同様に、表示器２にそって円弧状に形成されている。この集光出射部１２は、その断面形状は、凸レンズ形状をしており、光源７からの光を集光し、指針５へ光を出射するものである。
【００３２】
以上のように、第２の窓部１１に光源７からの光を集光するとともに指針５へ出射する集光出射部１２を設けたことによって、光源７からの光を集光することで輝度を向上させることができ、低い輝度を発する光源７からの光の輝度を向上させて、異なる照明対象である液晶表示パネル１と指針５とを良好に照明することができる。また、異なる照明対象である液晶表示パネル１と指針５への照明に同一の光源７を用いることができる。
【００３３】
ケース１５は、合成樹脂からなり、指針式計器装置Ｍの外装の一部を構成するものである。このケース１５は、表示器２、文字板４、指針５および駆動装置６を収納するものである。ケース１５には、フレーム部材１３が適宜手段によって固定されている。
【００３４】
また、本実施形態では、指針５が指示する値によって、指針５の色が変化するものである。本実施形態では、速度が時速１００ｋｍ以上で、指針５の色を赤色に変えるために、光源７の色（波長）を変換する変光部１４を第２の窓部１１の一部に設け、指針５へ供給する光の色を変えてある。また、変光部１４は、単色のみに限定されるものではなく、複数の色であってもよい。変光部１４を複数色とすることによって、例えば、通常の変換しない色、黄色、赤色などの組み合わせも可能となる。
【００３５】
変光部１４としては、着色したカラーフィルムや合成樹脂からなる着色導光体などがある。
【図面の簡単な説明】
【００３６】
【図１】本発明の一実施形態の指針式計器装置の正面図。
【図２】図１中のＡ−Ａ線の断面図。
【図３】図１中のＢ−Ｂ線の断面図。
【図４】図２中のＣ−Ｃ線の断面図。
【符号の説明】
【００３７】
１      液晶表示パネル
２      表示器
３      指標部
４      文字板
５      指針
６      駆動装置
７      光源
８      導光部材
９      第１の窓部
１０      枠体
１１      第２の窓部
１２      集光射出部
１３      フレーム部材
１４      変光部
Ｍ      指針式計器装置
【図１】
2009162496.tif 000003
【図２】
2009162496.tif 000004
【図３】
2009162496.tif 000005
【図４】
2009162496.tif 000006